(57)【要約】【課題】ミラー部材をキャリッジ本体部に安定的に固定保持すること。【解決手段】縦断面がコの字状となるように形成されたクランプにおいて、クランプ７０２は、ミラー７０１が取り付けられるミラー受け部９０１と係合する係合片部７１１と、係合片部７１１と対向配置され、係合片部７１１の方向にミラー７０１を押圧する押圧片部７１２とを有し、さらに、係合片部７１１および押圧片部７１２間を連結するとともに、ミラー７０１を押圧片部７１２による押圧方向と略直交する方向へ押圧する舌片状押さえ部９０７を有する連結部７１０と、を備えることを特徴とする。【選択図】        図９
2007078104.tif 000002
【特許請求の範囲】
【請求項１】
縦断面がコの字状となるように形成されたクランプであって、
ミラー部材が取り付けられる被取付部材と係合する係合片部と、
前記係合片部と対向配置され、当該係合片部の方向に前記ミラー部材を押圧する押圧片部と、
前記係合片部および前記押圧片部間を連結するとともに、前記ミラー部材を前記押圧片部による押圧方向と略直交する方向へ押圧する舌片部を有する連結部と、
を備えることを特徴とするクランプ。
【請求項２】
前記係合片部は、
前記被取付部材に形成された位置決め凸部と嵌合する嵌合穴を有し、当該嵌合穴と前記位置決め凸部とが完全嵌合することによって前記被取付部材に対して位置決め固定されることを特徴とする請求項１に記載のクランプ。
【請求項３】
原稿からの散乱光を反射するミラー部材と、
前記ミラー部材を取り付ける被取付部材と、
前記被取付部材に前記ミラー部材を挟持固定するクランプと、を有し、
前記クランプは、
縦断面がコの字状となるように形成され、
前記被取付部材と係合する係合片部と、前記係合片部と対向配置され、かつ当該係合片部の方向に前記ミラー部材を押圧する押圧片部と、前記係合片部および前記押圧片部間を連結するとともに、前記ミラー部材を前記押圧片部による押圧方向と略直交する方向へ押圧する舌片部を有する連結部と、を備えることを特徴とするミラー保持機構。
【請求項４】
原稿からの散乱光を反射するミラー部材と、
前記ミラー部材を取り付ける被取付部材と、
前記被取付部材に前記ミラー部材を狭持固定するクランプと、
前記ミラー部材によって反射された光を縮小投影するためのレンズと、
前記レンズを透過した光を受光する受光部と、を有し、
前記クランプは、
縦断面がコの字状となるように形成され、
前記被取付部材と係合する係合片部と、前記係合片部と対向配置され、かつ当該係合片部の方向に前記ミラー部材を押圧する押圧片部と、前記係合片部および前記押圧片部間を連結するとともに、前記ミラー部材を前記押圧片部による押圧方向と略直交する方向へ押圧する舌片部を有する連結部と、を備えることを特徴とする画像読み取り装置。
【発明の詳細な説明】
【技術分野】
【０００１】
この発明は、所定の部材を挟持固定するクランプおよびこれを用いたミラー保持機構ならびに画像読み取り装置に関し、特に複数の方向に対して同時に挟持固定することができるクランプおよびこれを用いたミラー保持機構ならびに画像読み取り装置に関する。
【背景技術】
【０００２】
原稿台上の原稿画像を読み取る画像読み取り装置では、スキャナキャリッジにおけるキャリッジ本体部に固定された細長いミラーを用いて原稿からリニアイメージセンサに至る光路を形成している。そして、たとえばミラーをスキャナキャリッジ本体部に固定するために、このミラーとスキャナキャリッジ本体部とを挟持固定するクランプなどが用いられている。
【０００３】
このようにクランプなどによって挟持固定されたミラーが原稿台の盤面と平行に移動することによって振動すると、原稿からリニアイメージセンサに至る光路が振動してしまい、原稿を鮮明に読み取ることができない場合がある。たとえば、このようなクランプを用いたミラー保持機構として、キャリッジ本体部にＬ字状のミラー受け部を形成し、その部分にミラーを装着し、クランプでミラーとキャリッジ本体部のミラー受け部とを挟持する方式が知られている。
【０００４】
図１３は、従来のミラー保持機構の一例を示す断面図である。図１３に示すように、ミラー１３０５は、キャリッジ本体部１３０１に形成されたミラー受け部１３０２に装着されたうえで、クランプ１３０３によって挟持されることにより、キャリッジ本体部１３０１に固定されている。
【０００５】
そして、ミラー１３０５の背面１３０４をクランプ１３０３が押さえつけることによって、ミラー１３０５はミラー受け部１３０２に対して押圧された状態で固定されている。さらに、たとえばこの固定状態を保持するためにクランプ１３０３にホットメルト（熱可塑性樹脂）を塗布することによって、ミラー１３０５とキャリッジ本体部１３０１とを強固に固定する場合もある（たとえば、下記特許文献１参照。）。
【０００６】
また、ミラーの長手方向の中間部に金属の補強板や制振部材を固定してミラーの振動を低減する方式や、ミラーとスキャナキャリッジとをネジ止めによって固定する機構が知られている（たとえば、下記特許文献２参照。）。
【０００７】
【特許文献１】特開平０９−２３０２２２号公報
【特許文献２】特開平１０−２０６６１７号公報
【発明の開示】
【発明が解決しようとする課題】
【０００８】
しかしながら、上述した特許文献１に記載された従来技術のミラー保持機構では、図１３に示すように、ミラー１３０５の背面１３０４をクランプ１３０３によって押さえつけてはいるが、ミラー１３０５の背面１３０４を押さえつける押圧力の方向と略直交する方向に対しては、クランプ１３０３だけでは十分に押さえつけることができなかった。このため、たとえばミラー１３０５が振動した場合に、上記略直交する方向の固定精度が著しく低下してしまうという問題がある。
【０００９】
また、たとえば落下等によって画像読み取り装置に衝撃が加わった場合、この衝撃によってキャリッジ本体部１３０１に固定されたミラー１３０５の取付位置が大きくずれてしまう場合があり、この場合、原稿からの光の光束がミラー面内に収まらず、原稿を鮮明に読み取ることができなくなってしまう。
【００１０】
さらに、上述した特許文献２に記載された従来技術のミラー保持機構では、ミラーの振動を補強板や制振部材によって低減しようとすると、振動を抑制可能な重量を有する補強板や制振部材等が必要となるため、ミラーを移動させるモータの負荷が増大するという問題が生じる。また、ミラーをスキャナキャリッジにネジ止めによって補強して固定する場合は、部品点数が増えたり、取り付けが困難である等の問題が生じていた。
【００１１】
この発明は、上述した従来技術による問題点を解消するため、ミラーをスキャナキャリッジに安定的に固定保持することができるクランプおよびこれを用いたミラー保持機構ならびに画像読み取り装置を提供することを目的とする。
【課題を解決するための手段】
【００１２】
上述した課題を解決し、目的を達成するため、この発明にかかるクランプは、縦断面がコの字状となるように形成されたクランプであって、ミラー部材が取り付けられる被取付部材と係合する係合片部と、前記係合片部と対向配置され、当該係合片部の方向に前記ミラー部材を押圧する押圧片部と、前記係合片部および前記押圧片部間を連結するとともに、前記ミラー部材を前記押圧片部による押圧方向と略直交する方向へ押圧する舌片部を有する連結部と、を備えることを特徴とする。
【００１３】
この発明のクランプによれば、被取付部材に取り付けられるミラー部材を、押圧片部によって係合片部の方向に押圧することができるとともに、舌片部によって押圧片部による押圧方向と略直交する方向に押圧することができる。これにより、ミラー部材を被取付部材に対して確実かつ安定的に固定保持することが可能となる。
【００１４】
また、この発明にかかるクランプは、上記の発明において、前記係合片部は、前記被取付部材に形成された位置決め凸部と嵌合する嵌合穴を有し、当該嵌合穴と前記位置決め凸部とが完全嵌合することによって前記被取付部材に対して位置決め固定されることを特徴とする。
【００１５】
この発明によれば、クランプに形成された嵌合穴と被取付部材に形成された位置決め凸部とが完全嵌合することによって、クランプを被取付部材に対して所定の位置に位置決めし安定的に固定することができる。
【００１６】
また、この発明にかかるミラー保持機構は、原稿からの散乱光を反射するミラー部材と、前記ミラー部材を取り付ける被取付部材と、前記被取付部材に前記ミラー部材を挟持固定するクランプと、を有し、前記クランプは、縦断面がコの字状となるように形成され、前記被取付部材と係合する係合片部と、前記係合片部と対向配置され、かつ当該係合片部の方向に前記ミラー部材を押圧する押圧片部と、前記係合片部および前記押圧片部間を連結するとともに、前記ミラー部材を前記押圧片部による押圧方向と略直交する方向へ押圧する舌片部を有する連結部と、を備えることを特徴とする。
【００１７】
この発明のミラー保持機構によれば、クランプの押圧片部によってミラー部材を被取付部材と係合する係合片部の方向に押圧し、連結部の舌片部によってミラー部材を押圧片部による押圧方向と略直交する方向に押圧して、ミラー部材を被取付部材に挟持固定することができる。このため、ミラー部材を被取付部材に対して確実かつ安定的に固定することができる。これにより、たとえばミラー部材が振動した場合であってもミラー部材を被取付部材に対して確実に固定し続けることができる。
【００１８】
また、この発明にかかる画像読み取り装置は、原稿からの散乱光を反射するミラー部材と、前記ミラー部材を取り付ける被取付部材と、前記被取付部材に前記ミラー部材を狭持固定するクランプと、前記ミラー部材によって反射された光を縮小投影するためのレンズと、前記レンズを透過した光を受光する受光部と、を有し、前記クランプは、縦断面がコの字状となるように形成され、前記被取付部材と係合する係合片部と、前記係合片部と対向配置され、かつ当該係合片部の方向に前記ミラー部材を押圧する押圧片部と、前記係合片部および前記押圧片部間を連結するとともに、前記ミラー部材を前記押圧片部による押圧方向と略直交する方向へ押圧する舌片部を有する連結部と、を備えることを特徴とする。
【００１９】
この発明の画像読み取り装置によれば、クランプの押圧片部によってミラー部材を被取付部材と係合する係合片部の方向に押圧し、連結部の舌片部によってミラー部材を押圧片部による押圧方向と略直交する方向に押圧して、ミラー部材を被取付部材に挟持固定することができる。このため、ミラー部材を被取付部材に対して確実かつ安定的に固定することができる。これにより、たとえばミラー部材が振動した場合であってもミラー部材を被取付部材に対して確実に固定し続けることができる。そのため、ミラー部材によって原稿からの光を正確に受光部であるリニアイメージセンサに誘導でき、原稿の画像情報を正確に読み取ることができる。
【発明を実施するための最良の形態】
【００２０】
以下に添付図面を参照して、本発明にかかるクランプおよびこれを用いたミラー保持機構ならびに画像読み取り装置の好適な実施の形態を詳細に説明する。
【００２１】
まず、本発明の実施の形態にかかる画像読み取り装置を備えた複合機１００の全体構成について図１、図２および図３を用いて説明する。図１は、この発明の実施の形態にかかる複合機の外観を示す斜視図である。また、図２は、図１に示す複合機の側断面図である。また、図３は、図１に示す複合機に備えられたプリンタケースに収容されるＡＳＦ（オートシートフィーダ）ユニットおよび印刷機構部の側断面図である。
【００２２】
図１に示すように、複合機１００は、上部にスキャナ部１１０と、下部にプリンタ部１２０と、正面側に操作パネル１５０とを備えて構成されている。スキャナ部１１０は、原稿に記載された図形、テキスト、写真などのデータを読み取り、それぞれのデータに対応する形式の電子データを生成する。図２に示すように、スキャナ部１１０は、スキャナケース１１１と、原稿カバー１１２と、原稿台１１３と、スキャナキャリッジ１１４と、キャリッジガイド１１５とを備えて構成されている。
【００２３】
スキャナケース１１１は、上部が開口した箱形に形成され、内部に原稿に記載されたデータを読み取るための各部材が格納される。スキャナケース１１１は、背面側に形成されたヒンジによって開閉可能にプリンタケース１２１に連結されている。原稿カバー１１２は、原稿台１１３に載置された原稿を上方から覆うようにして、原稿台１１３に対して押さえつける。原稿カバー１１２には、原稿を押さえつける部分に、原稿台１１３とほぼ同じ大きさの板状の保護マットが備えられている。原稿カバー１１２は、背面側に形成されたヒンジによって開閉可能にスキャナケース１１１に連結されている。
【００２４】
原稿台１１３は、透明なガラス材などからなる板状部材によって構成されており、スキャナケース１１１の上部に形成された開口部を閉塞するように固定されている。原稿台１１３には、ユーザによって、電子データ化するためのデータが記載された原稿が載置される。スキャナキャリッジ１１４は、画像を読み取るための各部材を内部に格納しており、スキャナケース１１１の内部に収容されている。スキャナキャリッジ１１４は、スキャナ部１１０に設けられたモータによって駆動されるベルトに係合しており、モータの回転に伴って、ベルトを介してキャリッジガイド１１５に支持されながら副走査方向に往復移動する。
【００２５】
スキャナキャリッジ１１４の内部には、リニアイメージセンサを実装した走査回路基板と、レンズと、ミラーと、光源とが搭載されている。光源は、蛍光管ランプなどによって構成されており、原稿に対して光を照射する。ミラーおよびレンズは、光源によって照射された光の原稿からの散乱光や透過光を光学像として受光部であるリニアイメージセンサの受光面に結像させる。
【００２６】
リニアイメージセンサは、フォトダイオードなどの受光素子が主走査方向に直線状に並ぶ姿勢で走査回路基板に搭載されている。リニアイメージセンサは、受光面に結像された光学像を光電変換して、受光素子ごとの受光量に応じた電気信号を出力する。キャリッジガイド１１５は、スキャナケース１１１に固定された棒状の部材であり、スキャナキャリッジ１１４を副走査方向に摺動自在に支持する。
【００２７】
プリンタ部１２０は、複合機１００とネットワークを介して接続されたＰＣ（パーソナルコンピュータ）などから送信された電子データに対応するデータを用紙に印刷する。プリンタ部１２０は、プリンタケース１２１と、ＡＳＦユニット１３０と、後述する印刷機構部１４０とによって構成されている。プリンタケース１２１は、上部が開口した箱形に形成され、データを用紙に印刷するための各部材が内部に格納されている。
【００２８】
プリンタケース１２１の上方には、背面側に形成されたヒンジによってスキャナケース１１１が開閉可能に連結されている。プリンタケース１２１の上部には、開口部１２１Ａが形成されており、スキャナケース１１１を上方に開放させることによって、開口部１２１Ａを露出させ、スキャナケース１１１の内部に格納された各部材をメンテナンスすることができる。
【００２９】
ＡＳＦユニット１３０は、給紙口１３０Ａの近傍に設けられ、給紙ローラ１３１と、紙支持板１３２と、給紙板１３３と、給紙口カバー１３４等によって構成されている。給紙ローラ１３１は、給紙口１３０Ａの近傍において給紙方向に回転可能にプリンタケース１２１に軸支されている。給紙ローラ１３１は、図示しない駆動モータの回転に伴って回転することによって、給紙板１３３により押し出された用紙を給紙口１３０Ａからプリンタケース１２１の内部に引き込み、後述する印刷ヘッド１４４とプラテン１４５との間に搬送する。
【００３０】
紙支持板１３２は、給紙板１３３の上方に形成された板状の部材であり、紙支持板１３２の下端に形成されたヒンジによって給紙板１３３の上端に開閉可能に連結されている。紙支持板１３２は、図２に示すように、給紙するときには、前面が開放された状態で、給紙板１３３の前面の傾斜角度と紙支持板１３２の前面の傾斜角度とが一致する位置に係止される。紙支持板１３２は、前面に平面が形成されており、この平面によって、第一支持部１３３Ｂに下端を支持された用紙束１２２の背面を支持する。
【００３１】
紙支持板１３２は、給紙しないときには、紙支持板１３２の下端に形成されたヒンジを軸にして、複合機１００の正面側に向かって折り畳むことができる。このように折り畳まれた紙支持板１３２は、紙支持板１３２の上方の前面が、原稿カバー１１２と当接することによって係止され、これによって、給紙口１３０Ａにつながる空間が閉塞される。給紙板１３３は、用紙束１２２を給紙口１３０Ａに供給できる位置に設けられた板状の部材であり、用紙束１２２を保持する。給紙板１３３は、側壁部１３３Ａと、第一支持部１３３Ｂとを備えて構成されている。
【００３２】
給紙板１３３は、上端に設けられた揺動軸が側壁部１３３Ａに軸受けされている、板状の部材である。側壁部１３３Ａは、給紙板１３３の両外側に平行に設けられている平面であり、少なくとも一方に対して用紙束１２２が寄せられる。これによって、待機位置における用紙束１２２の幅方向の位置決めを行う。第一支持部１３３Ｂは、給紙板１３３の下方に設けられている平面であり、用紙束１２２の下端を支持する。これによって、待機位置における用紙束１２２の長さ方向の位置決めを行う。給紙板１３３は、モータの回転に伴って揺動し、第一支持部１３３Ｂおよび側壁部１３３Ａに支持された用紙束１２２の下端を給紙口１３０Ａ側に押し出すことによって、給紙口１３０Ａに用紙を滑り落とす。
【００３３】
図３に示すように、印刷機構部１４０は、プリンタキャリッジ１４１、インクカートリッジ１４２、ガイドロッド１４３、印刷ヘッド１４４、プラテン１４５、排紙ローラ１４６、スタッカ１４７などによって構成されている。プリンタキャリッジ１４１は、内部にインクカートリッジ１４２を脱着自在に格納する。プリンタキャリッジ１４１は、印刷機構部１４０に設けられたモータによって駆動されるベルトによって係止されており、モータの回転に伴って、ベルトを介してガイドロッド１４３に支持されながらガイドロッド１４３の軸方向に往復移動する。
【００３４】
インクカートリッジ１４２は、各色のインクが貯蔵された容器であり、プリンタキャリッジ１４１に脱着自在に格納される。インクカートリッジ１４２に貯蔵されたインクは、インク通路を通じて、印刷ヘッド１４４のノズルに供給される。ガイドロッド１４３は、プリンタケース１２１に固定された棒状の部材であり、プリンタキャリッジ１４１を複合機１００の横幅方向に摺動自在に支持する。
【００３５】
印刷ヘッド１４４は、プリンタキャリッジ１４１の下方に設けられ、インクジェット方式によりインクカートリッジ１４２から供給されたインクを用紙に定着させる。印刷ヘッド１４４には、インクを吐出するノズル、インク通路などが備えられている。印刷ヘッド１４４はプリンタキャリッジ１４１とともにガイドロッド１４３の軸方向に往復運動する。なお、本実施の形態においてはインクジェット方式の印刷手段を用いているが、レーザ方式、昇華方式、インパクト方式などを用いてもよい。
【００３６】
プラテン１４５は、印刷ヘッド１４４の下方に位置し、上方に平面を有する棒状の部材であり、プリンタケース１２１に固定されている。プラテン１４５の上方に形成された平面は、印刷用紙に摺接し、印刷ヘッド１４４から下方に僅かに離れた位置に印刷用紙を位置決めする。排紙ローラ１４６は、排紙口１４０Ａの近傍において排紙方向に回転可能に設けられている。排紙ローラ１４６は、印刷機構部１４０に設けられたモータなどの駆動により回転することによって、印刷が行われた用紙を引き出し、排紙口１４０Ａからプリンタケース１２１の外部に排出する。排紙ローラ１４６によってプリンタケース１２１の外部に排出された用紙は、プリンタケース１２１に揺動自在に支持されたスタッカ１４７の上面に堆積される。
【００３７】
操作パネル１５０は、プリンタケース１２１の正面側に設けられており、ユーザによって操作されることによって、複合機１００に対する画像読み取り処理、印刷処理などの各種の処理要求を受け付ける。操作パネル１５０には、液晶パネル１５１、複数の押しボタン１５２などが設けられている。液晶パネル１５１には、設定メニュー、操作メニュー、処理状況などが表示される。ユーザは処理要求に応じた押しボタン１５２を押すことによって、複合機１００に対して処理を要求する。次に、上述した複合機のスキャナ部の構成について説明する。
【００３８】
図４は、上述した複合機１００に備えられたスキャナ部の全体構成を示す外観斜視図である。また、図５は、図４に示すスキャナ部から原稿カバーを外した状態を示す外観斜視図である。図４および図５に示すように、スキャナ部１１０は、上記の通りスキャナケース１１１と、原稿カバー１１２と、原稿台１１３（図２参照、以下同じ）と、スキャナキャリッジ１１４と、キャリッジガイド１１５（図２参照、以下同じ）とを備えて構成されている。また、スキャナ部１１０の原稿カバー１１２は、スキャナケース１１１に対してヒンジを介して着脱自在な構造を備えている。
【００３９】
このように構成されたスキャナ部１１０において、スキャナケース１１１から原稿カバー１１２を取り外すと、図５に示すような原稿台１１３が露出した状態となる。そして、このような状態においては、スキャナケース１１１の内部に配設されたスキャナキャリッジ１１４の少なくとも一部を、この原稿台１１３越しに上方から良好に見ることが可能となる。なお、このスキャナキャリッジ１１４は、図５中矢印Ａで示す副走査方向に往復運動する。また、この副走査方向と垂直な方向を主走査方向とし、図５中矢印Ｂで示すこととする。ここで、まず、スキャナキャリッジ１１４の構成について説明する。
【００４０】
図６は、スキャナキャリッジの全体構成を示す外観斜視図である。また、図７は、スキャナキャリッジの内部構成を示す斜視図である。図６に示すように、スキャナキャリッジ１１４は、キャリッジ本体部６０１と、図示しないリニアイメージセンサを実装した走査回路基板６０２と、キャリッジガイド摺動部６０３と、蛍光灯などからなるランプ６０４とを備えて構成され、キャリッジ本体部６０１の開口部側をキャリッジカバー６０５と、ランプカバー６０６とによって覆った構造からなる。
【００４１】
このように構成されたスキャナキャリッジ１１４の内部には、図７に示すように、複数のミラー７０１と、これらのミラー７０１をキャリッジ本体部６０１に対して固定するためのミラー保持部材である複数のクランプ７０２と、ランプ６０４（図６参照）を点灯させるためのインバータ７０３と、原稿の像をリニアイメージセンサ上に縮小投影するためのレンズ７０４とを備えて構成されている。なお、図７においては、キャリッジ本体部６０１に対して、たとえばミラー７０１は４つ備えられ、クランプ７０２はこれらのミラー７０１にそれぞれ２つずつ用いられているが、図面上表現できない箇所については省略してある。
【００４２】
複数のミラー７０１は、たとえばそれぞれ主走査方向（図５中矢印Ｂ方向）と平行な方向に細長く延びるように形成され、垂直方向の断面が矩形断面を有する板状あるいは棒状の部材からなる。そして、各ミラー７０１の主走査方向と平行となるように形成された面のうち、原稿からの散乱光を反射する面には、たとえばメッキや研磨などによって鏡面加工が施され、光誘導面７０５が形成されている。また、これら複数のミラー７０１は、主走査方向に沿った長手方向の両端部近傍が、それぞれクランプ７０２によって挟持固定されることにより、キャリッジ本体部６０１に係止固定されている。
【００４３】
なお、このスキャナキャリッジ１１４は、スキャン動作時においては副走査方向（図５中矢印Ａ方向）に往復移動しつつランプ６０４から出射された光を原稿台１１３（図２および図５参照）に載置された原稿に対して照射する。照射された光は、原稿において散乱され、この散乱光は、複数のミラー７０１の光誘導面７０５によって形成された光路に導かれてレンズ７０４を介して集光され、リニアイメージセンサに入射される。そして、リニアイメージセンサを介して入射された反射光は、走査回路基板６０２において光電変換され、原稿をあわらす画像情報が生成される。
【００４４】
次に、本発明の実施の形態にかかるミラー保持機構について説明する。このミラー保持機構は、たとえば上述したクランプ７０２によってミラー７０１をキャリッジ本体部６０１に係止固定することにより実現される。なお、ここでは複数のミラー７０１のうち、一つのミラー７０１を例に挙げて説明するが、このミラー保持機構は各ミラー７０１において同様に適用される。
【００４５】
図８は、ミラーの係止固定部分を説明するためのキャリッジ本体部の一部を拡大して示す部分斜視図である。また、図９は、図８のＸ−Ｘ’断面図である。図８および図９に示すように、ミラー７０１は、その主走査方向に沿った長手方向の両端部近傍（図８においては一方の端部近傍のみ図示）が被取付部材であるキャリッジ本体部６０１に取り付けられたうえで、クランプ７０２によってミラー７０１とキャリッジ本体部６０１のミラー受け部９０１とを挟むことにより固定されている。
【００４６】
キャリッジ本体部６０１のミラー受け部９０１は、ミラー７０１が取り付けられたときに、このミラー７０１の光誘導面７０５が所定の角度で傾斜して正確に反射光を導くようなＬ字状断面を備える形状で形成されている。また、このミラー受け部９０１には、クランプ７０２をミラー受け部９０１に対して正確に位置決めして取り付けるための凸部である、たとえば突条からなる取付部９０２が設けられている。
【００４７】
クランプ７０２の一部には、この取付部９０２と嵌合する嵌合穴９０５が穿設されており、この嵌合穴９０５と取付部９０２とが嵌合することによってクランプ７０２の少なくとも図の上方向についての位置決めがなされる構造を備えている。なお、ミラー受け部９０１の取付部９０２は、上述した突条の他に、突起によって形成されていてもよい。この場合、クランプ７０２の嵌合穴９０５は、突起からなる取付部９０２と嵌合可能な形状で穿設されていればよい。
【００４８】
図９に示すように、このミラー受け部９０１には、ミラー７０１の光誘導面７０５と密接する面９０３と、ミラー７０１の側面７０６と密接する面９０４とが設けられている。上述したように、ミラー受け部９０１に設けられた面９０３と面９０４とがキャリッジ本体部６０１に対して所定の角度に傾いているため、ミラー７０１の光誘導面７０５が正確に反射光を導くような傾きと位置とで取り付けられている。
【００４９】
また、クランプ７０２によってミラー７０１は、キャリッジ本体部６０１に係止固定されており、クランプ７０１の係合片部７１１に形成された嵌合穴９０５とミラー受け部９０１の取付部９０２とが嵌合することによって、ミラー受け部９０１におけるクランプ７０２の取付位置が決定される。
【００５０】
このとき、クランプ７０２の押圧片部７１２は、ミラー７０１において光誘導面７０５と反対側の面である背面７０７と当接し、この背面７０７を押圧することによってミラー７０１をミラー受け部９０１の面９０３の方向（図９中矢印Ｃ方向）に付勢して固定している。
【００５１】
また、クランプ７０２の連結部７１０に形成された舌片状押さえ部９０７は、ミラー７０１においてミラー受け部９０１の面９０４と接している側面７０６と反対側の面である側面７０８と当接し、この側面７０８を押圧することによってミラー７０１をミラー受け部９０１の面９０４の方向（図９中矢印Ｄ方向）に付勢して固定している。次に、クランプ７０２の詳細な構造について、図１０〜図１２を用いて説明する。
【００５２】
図１０は、本発明の実施の形態にかかるクランプの上面図である。また、図１１は、本発明の実施の形態にかかるクランプを図１０の矢印Ｅ方向から見た背面図である。また、図１２は、本発明の実施の形態にかかるクランプの側面図である。
【００５３】
クランプ７０２は、たとえば金属母材を打ち抜き／折り曲げ加工することで構成されており、ミラー７０１およびミラー受け部９０１（図９参照、以下同じ）などの複数の部材を挟み、クランプ７０２自身が有する弾性力によって複数の部材を一つに固定する。ここで、まず、金属母材を打ち抜き／折り曲げ加工することによってクランプ７０２を形成する流れを説明する。
【００５４】
はじめに、たとえば略矩形板状に製造された金属母材の所定位置をＩ字状およびＵ字状に打ち抜き加工することによって、嵌合穴９０５（図１１参照）および舌片状押さえ部９０７（図１０参照）を形成する。次に、嵌合穴９０５と舌片状押さえ部９０７との間の所定位置において、両者が略直角に配置されるように折り曲げる。これにより、嵌合穴９０５を有し、ミラー受け部９０１と係合する係合片部７１１が形成される。
【００５５】
その後、折り曲げた部分と舌片状押さえ部９０７を介して反対側の所定位置において、残りの部分を嵌合穴９０５と対向配置され、かつ舌片状押さえ部９０７が形成された部分に対して略直角よりも鋭角となるように折り曲げる。これにより、ミラー７０１を係合片部７１１の方向に押圧する押圧片部７１２（図１２参照）が形成され、これら係合片部７１１および押圧片部７１２の間を連結し、舌片状押さえ部９０７を有する連結部７１０が形成される。
【００５６】
なお、舌片状押さえ部９０７は、好ましくはその舌片状基端部が係合片部７１１側に配置され、かつ舌片状先端部が押圧片部７１２側に配置されるように形成されている。そして、この舌片状押さえ部９０７は、図１２に示すように、クランプ７０２の側面から見て、連結部７１０の板面に対して所定の角度θを有し、その舌片状先端部が係合片部７１１および押圧片部７１２の対向側に僅かに露出するように形成されている。
【００５７】
そして、係合片部７１１と押圧片部７１２とのそれぞれの端部近傍を、たとえば折り曲げ方向と反対方向へ僅かに反るように形成する。このようにすることによって、クランプ７０２をミラー受け部９０１に対して取り付ける際に、係合片部７１１および押圧片部７１２のそれぞれの端部が、たとえばミラー７０１やキャリッジ本体部６０１（図９参照、以下同じ）に対して引っ掛かってしまうことに起因する不具合等をなくし、取付作業を容易にすることができる。
【００５８】
なお、上述した舌片状押さえ部９０７が連結部７１０の板面に対して有している角度θは、次のように設定することができる。たとえば図９に示すように、ミラー７０１は、クランプ７０２の舌片状押さえ部９０７と押圧片部７１２とによる押圧力によって、上述したようにミラー受け部９０１に対して複数の方向から押圧され固定されている。
【００５９】
このとき、ミラー７０１の部品製作時における寸法のばらつき等の精度誤差により、面７０６と面７０８との間における両者間の距離に違いが生じてしまうという問題が起こり得る。このような問題を考慮して、面７０６と面７０８との面間距離が最も小さくなるようにミラー７０１が製作された場合においても、舌片状押さえ部９０７が最低限必要な押圧力を発揮できるように、角度θの値を設定する。ここで、最低限必要な舌片状押さえ部９０７による押圧力とは、押圧片部７１２の押圧力によって押圧片部７１２と面７０７との間、および受け面９０３と面７０５との間でそれぞれ発生する摩擦力と、振動等でミラー７０１が図９中矢印Ｄ方向の反対方向へ動こうとする力との和である。
【００６０】
以上説明したように、本発明の実施の形態にかかるクランプおよびこれを用いたミラー保持機構によれば、ミラー７０１とキャリッジ本体部６０１のミラー受け部９０１とをクランプ７０２を用いて狭持固定している。このとき、クランプ７０２によって、ミラー７０１の背面７０７から押さえつけるだけではなく、ミラー７０１の側面７０８からも押さえつけることができる。ミラー７０１の背面７０７から押さえつけるだけでなく側面７０８から押さえつけることによって、ミラー７０１をミラー受け部９０１に対して確実かつ安定的に固定保持することができる。
【００６１】
また、落下等によってスキャナキャリッジ１１４に衝撃が加わった場合においても、キャリッジ本体部６０１のミラー受け部９０１に固定されたミラー７０１の取付位置が大きくずれてしまうことを防止できる。このため、衝撃によってミラー７０１のミラー受け部９０１に対する位置がずれ、原稿からの散乱光がミラー７０１の光誘導面７０５内に収まらない等の問題を防止できる。そのため、衝撃によるミラー７０１のミラー受け部９０１に対する位置ずれや、スキャナキャリッジ１１４が移動する際の振動によって生じる問題を防止するため作業が不要となる。これらの作業が不要となることにより、装置の小型化、低コスト化が実現でき、組立性も損なわない。
【００６２】
また、クランプ７０２の舌片状押さえ部９０７は、その舌片状基端部が係合片部７１１側に配置され、かつ舌片状先端部が押圧片部７１２側に配置されるように形成されているため、クランプ７０２の開きによって生じる押圧片部７１２による押圧力の低下を防止することができる。
【００６３】
そして、本発明の実施の形態にかかるミラー保持機構を用いた画像読み取り装置によれば、スキャナキャリッジ１１４が原稿台１１３の板面と平行に移動する際に、スキャナキャリッジ１１４内のミラー７０１をキャリッジ本体部６０１のミラー受け部９０１に安定的に固定保持することができる。これにより、原稿からリニアイメージセンサに至る原稿からの光の光路が正確に形成され、原稿の画像情報を鮮明に読み取ることができる。
【００６４】
なお、上述したミラー保持機構におけるクランプなどのミラー保持部材の形状は、本発明の実施の形態にかかるクランプ７０２に限らず、本発明の要旨を備えたものであればよい。具体的には、たとえば、図１２に示した押圧片部７１２を次のように形成してもよい。
【００６５】
押圧片部７１２を形成する場合に、舌片状押さえ部９０７が形成された部分に対して略直角よりも鋭角となるように折り曲げて形成した部分を、略直角に折り曲げる。そして、略直角に折り曲げた部分には、連結部７１０に形成されている舌片状押さえ部９０７と同様の舌片状の部位を形成する。この舌片状の部位の基端部は、連結部７１０に対して反対側に配置され、かつ舌片状の部位の先端部は、連結部７１０に配置されるように形成されている。
【００６６】
そして、この舌片状の部位を係合片部７１１側に所定の角度αを有して傾ける。このとき、所定の角度αの大きさは、図１２に示す所定の角度θの大きさよりも大きくなるように形成する。このようにすれば、本発明の実施の形態にかかるミラー保持機構で説明したクランプ７０２と同様に、ミラー７０１をミラー受け部９０１に対して確実かつ安定的に固定保持することができる。
【図面の簡単な説明】
【００６７】
【図１】本発明の実施の形態にかかる複合機の外観を示す斜視図。
【図２】図１に示す複合機の側断面図。
【図３】ＡＳＦユニットおよび印刷機構部の側断面図。
【図４】スキャナ部の全体構成を示す外観斜視図。
【図５】スキャナ部から原稿カバーを外した状態を示す外観斜視図。
【図６】スキャナキャリッジの全体構成を示す外観斜視図。
【図７】スキャナキャリッジの内部構成を示す斜視図。
【図８】キャリッジ本体部の一部を拡大して示す部分斜視図。
【図９】図８のＸ−Ｘ’断面図。
【図１０】クランプの上面図である。
【図１１】クランプを図１０の矢印Ｅ方向から見た背面図。
【図１２】クランプの側面図。
【図１３】従来のミラー保持機構の一例を示す断面図。
【符号の説明】
【００６８】
７０１  ミラー、７０２  クランプ、７１０  連結部、７１１  係合片部、７１２  押圧片部、９０１  ミラー受け部、９０５  嵌合穴、９０７  舌片状押さえ部
【図１】
2007078104.tif 000003
【図２】
2007078104.tif 000004
【図３】
2007078104.tif 000005
【図４】
2007078104.tif 000006
【図５】
2007078104.tif 000007
【図６】
2007078104.tif 000008
【図７】
2007078104.tif 000009
【図８】
2007078104.tif 000010
【図９】
2007078104.tif 000011
【図１０】
2007078104.tif 000012
【図１１】
2007078104.tif 000013
【図１２】
2007078104.tif 000014
【図１３】
2007078104.tif 000015